(57)【要約】【課題】鑑賞する位置と認識される立体像の不整合に起因する違和感を抑制することが可能な画像表示システム及びその制御方法を提供する。【解決手段】第１のプロジェクター２ａは、第２のプロジェクター２ｂが画像の投写を停止しているときに左眼用画像及び右眼用画像を投写し、第２のプロジェクター２ｂは、第１のプロジェクター２ａが画像の投写を停止しているときに左眼用画像及び右眼用画像を投写する。そして、液晶シャッターメガネ４は、一方のプロジェクター２が左眼用画像を投写しているときに左眼用の液晶シャッター４４Ｌを開放して右眼用の液晶シャッター４４Ｒを閉塞し、該プロジェクター２が右眼用画像を投写しているときに右眼用の液晶シャッター４４Ｒを開放して左眼用の液晶シャッター４４Ｌを閉塞し、該プロジェクター２が画像の投写を停止しているときには、双方の液晶シャッター４４Ｌ，４４Ｒの双方を閉塞する。【選択図】図１
2012253594.tif 000002
【特許請求の範囲】
【請求項１】
投写面に第１の左眼用画像及び第１の右眼用画像を排他的に投写するとともに、画像の投写を停止させる第１の停止期間を挟んで前記第１の左眼用画像の投写と前記第１の右眼用画像の投写とを切り替える第１のプロジェクターと、
前記投写面に第２の左眼用画像及び第２の右眼用画像を排他的に投写するとともに、画像の投写を停止させる第２の停止期間を挟んで前記第２の左眼用画像の投写と前記第２の右眼用画像の投写とを切り替える第２のプロジェクターと、
光を透過させる透過状態と光の透過を遮断する遮断状態とを切り替え可能な左眼用シャッター及び右眼用シャッターを有するシャッターメガネと、
を備え、
前記第１のプロジェクターは、前記第２のプロジェクターが前記第２の停止期間のときに前記第１の左眼用画像及び前記第１の右眼用画像を排他的に投写し、
前記第２のプロジェクターは、前記第１のプロジェクターが前記第１の停止期間のときに前記第２の左眼用画像及び前記第２の右眼用画像を排他的に投写し、
前記シャッターメガネは、前記第１のプロジェクター及び前記第２のプロジェクターの一方のプロジェクターが左眼用画像を投写しているときに前記左眼用シャッターを前記透過状態にして前記右眼用シャッターを前記遮断状態にし、前記一方のプロジェクターが右眼用画像を投写しているときに前記右眼用シャッターを前記透過状態にして前記左眼用シャッターを前記遮断状態にし、前記一方のプロジェクターが画像の投写を停止しているときには、前記左眼用シャッター及び前記右眼用シャッターの双方を前記遮断状態にすることを特徴とする画像表示システム。
【請求項２】
請求項１に記載の画像表示システムであって、
前記第１のプロジェクターでの前記第１の左眼用画像及び前記第１の右眼用画像の切り替えに同期するための第１の同期信号を前記シャッターメガネに送信する第１の送信装置と、
前記第２のプロジェクターでの前記第２の左眼用画像及び前記第２の右眼用画像の切り替えに同期するための第２の同期信号を前記シャッターメガネに送信する第２の送信装置と、
をさらに備え、
前記シャッターメガネは、前記第１の同期信号及び前記第２の同期信号の一方の同期信号に基づいて、前記左眼用シャッター及び前記右眼用シャッターの前記透過状態と前記遮断状態とを切り替えさせることを特徴とする画像表示システム。
【請求項３】
請求項１又は２に記載の画像表示システムであって、
前記第１の送信装置は、前記第１のプロジェクターに一体的に構成され、
前記第２の送信装置は、前記第２のプロジェクターに一体的に構成されていることを特徴とする画像表示システム。
【請求項４】
請求項１〜３のいずれか一項に記載の画像表示システムであって、
前記第１のプロジェクターは、前記第１のプロジェクターと前記第２のプロジェクターとの間で画像の切り替えを同期させるための基準同期信号を前記第２のプロジェクターに送信し、
前記第２のプロジェクターは、前記基準同期信号に基づいて画像を切り替えることを特徴とする画像表示システム。
【請求項５】
請求項１〜４のいずれか一項に記載の画像表示システムであって、
前記第１のプロジェクター及び前記第２のプロジェクターは、
固体光源と、
前記固体光源から射出された光を変調する光変調装置と、
前記光変調装置で変調された光を投写する投写光学系と、
を備え、前記第１の停止期間及び前記第２の停止期間では、前記固体光源を消灯させることを特徴とする画像表示システム。
【請求項６】
投写面に第１の左眼用画像及び第１の右眼用画像を排他的に投写する第１のプロジェクターと、前記投写面に第２の左眼用画像及び第２の右眼用画像を排他的に投写する第２のプロジェクターと、光を透過させる透過状態と光の透過を遮断する遮断状態とを切り替え可能な左眼用シャッター及び右眼用シャッターを有するシャッターメガネと、を備えた画像表示システムの制御方法であって、
前記第１のプロジェクターが、画像の投写を停止させる第１の停止期間を挟んで前記第１の左眼用画像の投写と前記第１の右眼用画像の投写とを切り替えるステップと、
前記第２のプロジェクターが、画像の投写を停止させる第２の停止期間を挟んで前記第２の左眼用画像の投写と前記第２の右眼用画像の投写とを切り替えるステップと、
前記第２のプロジェクターが前記第２の停止期間のときに、前記第１のプロジェクターが前記第１の左眼用画像及び前記第１の右眼用画像を排他的に投写するステップと、
前記第１のプロジェクターが前記第１の停止期間のときに、前記第２のプロジェクターが前記第２の左眼用画像及び前記第２の右眼用画像を排他的に投写するステップと、
前記第１のプロジェクター及び前記第２のプロジェクターの一方のプロジェクターが左眼用画像を投写しているときに、前記シャッターメガネが前記左眼用シャッターを前記透過状態にして前記右眼用シャッターを前記遮断状態にするステップと、
前記一方のプロジェクターが右眼用画像を投写しているときに、前記シャッターメガネが前記右眼用シャッターを前記透過状態にして前記左眼用シャッターを前記遮断状態にするステップと、
前記一方のプロジェクターが画像の投写を停止しているときに、前記シャッターメガネが前記左眼用シャッター及び前記右眼用シャッターの双方を前記遮断状態にするステップと、
を備えたことを特徴とする画像表示システムの制御方法。
【発明の詳細な説明】
【技術分野】
【０００１】
本発明は、表示する画像を鑑賞者に立体像として認識させる画像表示システム及びその制御方法に関する。
【背景技術】
【０００２】
プロジェクター等の画像表示装置が表示する画像を鑑賞者に立体像として認識させるために、鑑賞者の右目及び左目に、それぞれ異なる画像（視差画像）を視認させるシステムが種々提案されている。このようなシステムの１つとして、例えば、左目用の画像と右目用の画像とを画像表示装置が交互に時分割で表示する態様のシステムがある（例えば、特許文献１参照）。この態様では、鑑賞者は、画像の変化に同期して左右交互に開閉するシャッターメガネを通して画像を鑑賞することにより、立体像を認識することができる。
【先行技術文献】
【特許文献】
【０００３】
【特許文献１】特開２００２−８２３０７号公報
【発明の概要】
【発明が解決しようとする課題】
【０００４】
しかしながら、上記のように鑑賞者に立体像を認識させるコンテンツは、通常、画面の正面中央で鑑賞することを想定して作成されているため、このコンテンツを多数の鑑賞者が鑑賞する場合において、画面の正面中央から大きくずれた位置で鑑賞する鑑賞者は、鑑賞する位置と認識される立体像との不整合により、違和感を抱きやすいという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示システムは、投写面に第１の左眼用画像及び第１の右眼用画像を排他的に投写するとともに、画像の投写を停止させる第１の停止期間を挟んで前記第１の左眼用画像の投写と前記第１の右眼用画像の投写とを切り替える第１のプロジェクターと、前記投写面に第２の左眼用画像及び第２の右眼用画像を排他的に投写するとともに、画像の投写を停止させる第２の停止期間を挟んで前記第２の左眼用画像の投写と前記第２の右眼用画像の投写とを切り替える第２のプロジェクターと、光を透過させる透過状態と光の透過を遮断する遮断状態とを切り替え可能な左眼用シャッター及び右眼用シャッターを有するシャッターメガネと、を備え、前記第１のプロジェクターは、前記第２のプロジェクターが前記第２の停止期間のときに前記第１の左眼用画像及び前記第１の右眼用画像を排他的に投写し、前記第２のプロジェクターは、前記第１のプロジェクターが前記第１の停止期間のときに前記第２の左眼用画像及び前記第２の右眼用画像を排他的に投写し、前記シャッターメガネは、前記第１のプロジェクター及び前記第２のプロジェクターの一方のプロジェクターが左眼用画像を投写しているときに前記左眼用シャッターを前記透過状態にして前記右眼用シャッターを前記遮断状態にし、前記一方のプロジェクターが右眼用画像を投写しているときに前記右眼用シャッターを前記透過状態にして前記左眼用シャッターを前記遮断状態にし、前記一方のプロジェクターが画像の投写を停止しているときには、前記左眼用シャッター及び前記右眼用シャッターの双方を前記遮断状態にすることを特徴とする。
【０００７】
この画像表示システムによれば、第１のプロジェクターは、第２のプロジェクターが画像の投写を停止しているときに第１の左眼用画像及び第１の右眼用画像を排他的に投写し、第２のプロジェクターは、第１のプロジェクターが画像の投写を停止しているときに第２の左眼用画像及び第２の右眼用画像を排他的に投写する。そして、シャッターメガネは、一方のプロジェクターが左眼用画像を投写しているときに左眼用シャッターを透過状態にして右眼用シャッターを遮断状態にし、該プロジェクターが右眼用画像を投写しているときに右眼用シャッターを透過状態にして左眼用シャッターを遮断状態にし、該プロジェクターが画像の投写を停止しているときには、左眼用シャッター及び右眼用シャッターの双方を遮断状態にする。このため、第１のプロジェクター及び第２のプロジェクターから、異なる画像を共通の投写面に投写しても、シャッターメガネを装着した鑑賞者には、一方のプロジェクターからの画像のみが鑑賞される。この結果、適切な鑑賞位置が異なる画像を第１のプロジェクター及び第２のプロジェクターから投写するようにすれば、鑑賞する位置と認識される立体像の不整合に起因する違和感を抑制することが可能となる。
【０００８】
［適用例２］上記適用例に係る画像表示システムにおいて、前記第１のプロジェクターでの前記第１の左眼用画像及び前記第１の右眼用画像の切り替えに同期するための第１の同期信号を前記シャッターメガネに送信する第１の送信装置と、前記第２のプロジェクターでの前記第２の左眼用画像及び前記第２の右眼用画像の切り替えに同期するための第２の同期信号を前記シャッターメガネに送信する第２の送信装置と、をさらに備え、前記シャッターメガネは、前記第１の同期信号及び前記第２の同期信号の一方の同期信号に基づいて、前記左眼用シャッター及び前記右眼用シャッターの前記透過状態と前記遮断状態とを切り替えさせるようにしてもよい。
【０００９】
［適用例３］上記適用例に係る画像表示システムにおいて、前記第１の送信装置は、前記第１のプロジェクターに一体的に構成され、前記第２の送信装置は、前記第２のプロジェクターに一体的に構成されているようにしてもよい。
【００１０】
［適用例４］上記適用例に係る画像表示システムにおいて、前記第１のプロジェクターは、前記第１のプロジェクターと前記第２のプロジェクターとの間で画像の切り替えを同期させるための基準同期信号を前記第２のプロジェクターに送信し、前記第２のプロジェクターは、前記基準同期信号に基づいて画像を切り替えるようにしてもよい。
【００１１】
［適用例５］上記適用例に係る画像表示システムにおいて、前記第１のプロジェクター及び前記第２のプロジェクターは、固体光源と、前記固体光源から射出された光を変調する光変調装置と、前記光変調装置で変調された光を投写する投写光学系と、を備え、前記第１の停止期間及び前記第２の停止期間では、前記固体光源を消灯させるようにしてもよい。
【００１２】
［適用例６］本適用例に係る画像表示システムの制御方法は、投写面に第１の左眼用画像及び第１の右眼用画像を排他的に投写する第１のプロジェクターと、前記投写面に第２の左眼用画像及び第２の右眼用画像を排他的に投写する第２のプロジェクターと、光を透過させる透過状態と光の透過を遮断する遮断状態とを切り替え可能な左眼用シャッター及び右眼用シャッターを有するシャッターメガネと、を備えた画像表示システムの制御方法であって、前記第１のプロジェクターが、画像の投写を停止させる第１の停止期間を挟んで前記第１の左眼用画像の投写と前記第１の右眼用画像の投写とを切り替えるステップと、前記第２のプロジェクターが、画像の投写を停止させる第２の停止期間を挟んで前記第２の左眼用画像の投写と前記第２の右眼用画像の投写とを切り替えるステップと、前記第２のプロジェクターが前記第２の停止期間のときに、前記第１のプロジェクターが前記第１の左眼用画像及び前記第１の右眼用画像を排他的に投写するステップと、前記第１のプロジェクターが前記第１の停止期間のときに、前記第２のプロジェクターが前記第２の左眼用画像及び前記第２の右眼用画像を排他的に投写するステップと、前記第１のプロジェクター及び前記第２のプロジェクターの一方のプロジェクターが左眼用画像を投写しているときに、前記シャッターメガネが前記左眼用シャッターを前記透過状態にして前記右眼用シャッターを前記遮断状態にするステップと、前記一方のプロジェクターが右眼用画像を投写しているときに、前記シャッターメガネが前記右眼用シャッターを前記透過状態にして前記左眼用シャッターを前記遮断状態にするステップと、前記一方のプロジェクターが画像の投写を停止しているときに、前記シャッターメガネが前記左眼用シャッター及び前記右眼用シャッターの双方を前記遮断状態するステップと、を備えたことを特徴とする。
【００１３】
この画像表示システムの制御方法によれば、第１のプロジェクターは、第２のプロジェクターが画像の投写を停止しているときに第１の左眼用画像及び第１の右眼用画像を排他的に投写し、第２のプロジェクターは、第１のプロジェクターが画像の投写を停止しているときに第２の左眼用画像及び第２の右眼用画像を排他的に投写する。そして、シャッターメガネは、一方のプロジェクターが左眼用画像を投写しているときに左眼用シャッターを透過状態にして右眼用シャッターを遮断状態にし、該プロジェクターが右眼用画像を投写しているときに右眼用シャッターを透過状態にして左眼用シャッターを遮断状態にし、該プロジェクターが画像の投写を停止しているときには、左眼用シャッター及び右眼用シャッターの双方を遮断状態にする。このため、第１のプロジェクター及び第２のプロジェクターから、異なる画像を共通の投写面に投写しても、シャッターメガネを装着した鑑賞者には、一方のプロジェクターからの画像のみが鑑賞される。この結果、適切な鑑賞位置が異なる画像を第１のプロジェクター及び第２のプロジェクターから投写するようにすれば、鑑賞する位置と認識される立体像の不整合に起因する違和感を抑制することが可能となる。
【図面の簡単な説明】
【００１４】
【図１】画像表示システムの概略構成を示す構成図であり、（ａ）は、全体の構成を示す平面図、（ｂ）は、液晶シャッターメガネを示す斜視図。
【図２】プロジェクターの内部構成を示すブロック図。
【図３】液晶シャッターメガネの内部構成を示すブロック図。
【図４】（ａ）〜（ｊ）は、画像表示システムの動作を説明するためのタイミングチャートであり、（ａ）、（ｆ）は、それぞれ第１及び第２のプロジェクターの画像処理部から画像表示部に入力される画像情報を表し、（ｂ）、（ｇ）は、それぞれ第１及び第２のプロジェクターの画像表示部が表示する画像を表し、（ｃ）、（ｈ）は、それぞれ第１及び第２のプロジェクターの光源装置の点灯状態を表し、（ｄ）、（ｅ）及び（ｉ）、（ｊ）は、それぞれ第１及び第２の液晶シャッターメガネの左眼用及び右眼用液晶シャッターの開閉状態を表す。
【図５】（ａ）〜（ｏ）は、変形例に係る画像表示システムの動作を説明するためのタイミングチャートであり、（ａ）、（ｆ）、（ｋ）は、それぞれ第１〜第３のプロジェクターの画像処理部から画像表示部に入力される画像情報を表し、（ｂ）、（ｇ）、（ｌ）は、それぞれ第１〜第３のプロジェクターの画像表示部が表示する画像を表し、（ｃ）、（ｈ）、（ｍ）は、それぞれ第１〜第３のプロジェクターの光源装置の点灯状態を表し、（ｄ）、（ｅ）、（ｉ）、（ｊ）、（ｎ）、（ｏ）は、第１〜第３の液晶シャッターメガネの左眼用及び右眼用液晶シャッターの開閉状態を表す。
【発明を実施するための形態】
【００１５】
以下、本実施形態の画像表示システムについて、図面を参照して説明する。
図１は、本実施形態の画像表示システムの概略構成を示す構成図であり、（ａ）は、全体の構成を示す平面図、（ｂ）は、液晶シャッターメガネを示す斜視図である。
図１（ａ）に示すように、画像表示システム１００は、両眼視差を利用して鑑賞者に立体像を認識させるシステムであり、画像情報を供給する画像供給装置１と、２つのプロジェクター２（第１のプロジェクター２ａ及び第２のプロジェクター２ｂ）と、プロジェクター２から画像が投写される投写面としてのスクリーン３と、２種の液晶シャッターメガネ４（第１の液晶シャッターメガネ４ａ及び第２の液晶シャッターメガネ４ｂ）とを備えて構成されている。なお、画像表示システム１００は、２つのプロジェクター２の協働によって立体像を形成するものではなく、２つのプロジェクター２の各々が個別に立体像を形成する。
【００１６】
画像供給装置１は、立体像を認識させるための画像情報をプロジェクター２に供給するものであり、例えば、左眼用の画像を表す左眼用の画像情報と、右眼用の画像を表す右眼用の画像情報とを左右に並べて１フレーム内に収めたサイドバイサイド方式の画像情報を、６０Ｈｚのフレーム周波数で出力する。画像供給装置１は、第１のプロジェクター２ａと第２のプロジェクター２ｂに対して、それぞれ異なる画像情報（第１の画像情報及び第２の画像情報）を出力する。具体的には、第１のプロジェクター２ａに出力する第１の画像情報と第２のプロジェクター２ｂに出力する第２の画像情報とは、共通のコンテンツを表す画像情報であるが、画像の視点（アングル）が異なっている。第１の画像情報に基づく画像は、コンテンツの各場面を相対的に左側の位置から見た場合の画像であり、第２の画像情報に基づく画像は、コンテンツの各場面を相対的に右側の位置から見た場合の画像である。換言すれば、第１の画像情報に対応する視点は、第２の画像情報に対応する視点よりも相対的に左側にあるということができる。このため、第１の画像情報に基づく画像と第２の画像情報に基づく画像とでは、適切な鑑賞位置が異なっており、第１の画像情報に基づく画像は、スクリーン３の正面中央よりも左側から鑑賞するのに好適であり、第２の画像情報に基づく画像は、スクリーン３の正面中央よりも右側から鑑賞するのに好適である。
【００１７】
第１のプロジェクター２ａは、画像供給装置１から供給される第１の画像情報に基づく第１の左眼用画像及び第１の右眼用画像を、交互に切り替えながら排他的にスクリーン３に投写する。また、第２のプロジェクター２ｂは、画像供給装置１から供給される第２の画像情報に基づく第２の左眼用画像及び第２の右眼用画像を、交互に切り替えながら排他的にスクリーン３に投写する。第１のプロジェクター２ａ及び第２のプロジェクター２ｂは、スクリーン３のほぼ同じ位置に、それぞれの画像が重畳するように投写する。
【００１８】
第１のプロジェクター２ａと第２のプロジェクター２ｂとは、ケーブルで接続されており、第１のプロジェクター２ａは、２つのプロジェクター２の間で画像の切り替えを同期させるための同期信号（以降、「基準同期信号」とも呼ぶ。）を第２のプロジェクター２ｂに出力する。そして、第２のプロジェクター２ｂは、入力される基準同期信号に基づいて画像を切り替える。
【００１９】
第１のプロジェクター２ａは、第１の左眼用画像と第１の右目用画像とを切り替える際に、双方の画像の投写を停止させる第１の停止期間を設けており、第２のプロジェクター２ｂは、第２の左眼用画像と第２の右目用画像とを切り替える際に、双方の画像の投写を停止させる第２の停止期間を設けている。つまり、第１のプロジェクター２ａは、第１の停止期間を挟んで、第１の左眼用画像の投写と第１の右目用画像の投写とを切り替え、第２のプロジェクター２ｂは、第２の停止期間を挟んで、第２の左眼用画像の投写と第２の右目用画像の投写とを切り替える。そして、第１のプロジェクター２ａは、第２のプロジェクター２ｂが画像の投写を停止している第２の停止期間のときに、第１の左眼用画像及び第１の右眼用画像を排他的に投写し、第２のプロジェクター２ｂは、第１のプロジェクター２ａが画像の投写を停止している第１の停止期間のときに、第２の左眼用画像及び第２の右眼用画像を排他的に投写する。つまり、第１のプロジェクター２ａにより投写される画像と第２のプロジェクター２ｂにより投写される画像が同時に表示されることはない。この結果、第１の左眼用画像、第１の右眼用画像、第２の左眼用画像及び第２の右眼用画像は、互いに排他的に投写されることになる。
【００２０】
プロジェクター２は、送信装置２７を一体的に備えており、この送信装置２７から前方、即ち画像の投写方向と同じ方向に、液晶シャッターメガネ４の動作タイミングを定めるための赤外線の同期信号を送信する。具体的には、第１のプロジェクター２ａの送信装置２７（第１の送信装置２７ａ）は、第１のプロジェクター２ａでの画像の切り替えに同期して液晶シャッターメガネ４を動作させるための第１の同期信号を送信し、第２のプロジェクター２ｂの送信装置２７（第２の送信装置２７ｂ）は、第２のプロジェクター２ｂでの画像の切り替えに同期して液晶シャッターメガネ４を動作させるための第２の同期信号を送信する。第１の同期信号及び第２の同期信号には、液晶シャッターメガネ４の動作を制御するコマンド（ビット列）が含まれている。そして、これらのコマンドには、第１の同期信号と第２の同期信号とで異なるビット列が割り当てられており、液晶シャッターメガネ４が両者を識別できるようになっている。
【００２１】
図２は、プロジェクター２の内部構成を示すブロック図である。
図２に示すように、第１のプロジェクター２ａと第２のプロジェクター２ｂとは、ほぼ同一の構成を有しており、双方のプロジェクター２は、制御部２０と、画像処理部２１と、画像表示部２２と、送信装置２７とを備えている。
【００２２】
制御部２０は、ＣＰＵ（Central Processing Unit）や、各種データ等の一時記憶に用いられるＲＡＭ（Random Access Memory）、不揮発性のメモリーであるＲＯＭ（Read Only Memory）等を備え、ＲＯＭに記憶されている制御プログラムに従ってＣＰＵが動作することによりプロジェクター２の動作を制御する。また、第１のプロジェクター２ａの制御部２０（第１の制御部２０ａ）は、上述した基準同期信号を第２のプロジェクター２ｂに出力し、第２のプロジェクター２ｂの制御部２０（第２の制御部２０ｂ）は、第１のプロジェクター２ａから入力される基準同期信号に基づいて各種制御を行う。
【００２３】
画像処理部２１は、制御部２０の制御に基づき、画像供給装置１から入力される画像情報に対して、画像表示部２２で画像を表示するのに必要な画像処理を施す。例えば、画像処理部２１は、サイドバイサイド方式の画像情報を、左眼用の画像情報と右眼用の画像情報とに分離するとともに、分離後の画像情報に対して、その解像度を、画像表示部２２の解像度（具体的には、後述する液晶ライトバルブ２４の解像度）に合わせるための解像度変換処理を行って、画像表示部２２に出力する。このとき、画像処理部２１は、左右に分離した１フレーム分の画像情報について、左、左、右、右のように、その一方を２フレーム連続して出力した後に、他方を２フレーム連続して出力する。そして、後続して入力される画像情報についても、２フレーム毎に左右を交代させながら、２４０Ｈｚのフレーム周波数で画像情報を順次出力する。
【００２４】
画像表示部２２は、光源装置２３、光変調装置として液晶ライトバルブ２４、液晶駆動部２５、投写光学系としての投写レンズ２６、その他の光学素子等（図示省略）を備えて構成されている。画像表示部２２は、光源装置２３から射出された光を、画像処理部２１から入力される画像情報に基づいて液晶ライトバルブ２４で変調して、投写レンズ２６から投写する。
【００２５】
光源装置２３は、ＬＥＤ（発光ダイオード）や半導体レーザー等、瞬時点灯や瞬時消灯が可能な固体光源を有して構成されており、制御部２０の制御に基づいて、点灯と消灯とを切り替えることができる。光源装置２３から射出された光は、液晶ライトバルブ２４に入射する。なお、上述した第１の停止期間及び第２の停止期間では、制御部２０が光源装置２３を消灯させることによって、画像の投写を停止させている。
【００２６】
液晶ライトバルブ２４は、一対の透明基板間に液晶が封入された透過型の液晶パネル等によって構成される。液晶パネルは、複数の画素（図示せず）がマトリクス状に配列された画素領域を備えており、液晶に対して画素毎に駆動電圧を印加可能になっている。液晶駆動部２５が、画像処理部２１から入力される画像情報に応じた駆動電圧を各画素に印加すると、各画素は、画像情報に応じた光透過率に設定される。このため、光源装置２３から射出された光は、この液晶ライトバルブ２４の画素領域を透過することによって変調される。そして、液晶ライトバルブ２４で変調された光は、投写レンズ２６から投写され、画像情報に応じた画像がスクリーン３上に表示される。なお、本明細書では、画像情報に応じた画像を投写するために、液晶駆動部２５が画像情報に応じて液晶ライトバルブ２４を駆動すること、即ち画素領域の各画素を画像情報に応じた光透過率に設定することを「画像を表示する」とも呼ぶ。
【００２７】
送信装置２７は、上述したように、制御部２０の制御に基づいて、プロジェクター２による画像の切り替えに同期して液晶シャッターメガネ４を動作させるための赤外線の同期信号を送信する。
【００２８】
本実施形態のプロジェクター２は、上記のように構成されており、第１のプロジェクター２ａの制御部２０は、画像処理部２１から所定のフレーム周波数（２４０Ｈｚ）で画像情報を出力させて画像表示部２２に画像を表示させるとともに、画像の表示に同期して光源装置２３の点灯と消灯とを切り替える。さらに、第１のプロジェクター２ａの制御部２０は、第１の液晶シャッターメガネ４ａの動作を制御するための第１の同期信号を送信装置２７に送信させるとともに、プロジェクター２間で画像の切り替えタイミングを同期させるための基準同期信号を第２のプロジェクター２ｂに出力する。そして、第２のプロジェクター２ｂの制御部２０は、第１のプロジェクター２ａから入力された基準同期信号に基づいて動作する。具体的には、第２のプロジェクター２ｂの制御部２０は、画像処理部２１から所定のフレーム周波数（２４０Ｈｚ）で画像情報を出力させて画像表示部２２に画像を表示させるとともに、画像の表示に同期して光源装置２３の点灯と消灯とを切り替え、さらに、第２の液晶シャッターメガネ４ｂの動作を制御するための第２の同期信号を送信装置２７に送信させる。
【００２９】
図１に戻って、液晶シャッターメガネ４は、画像を鑑賞する鑑賞者Ｍに装着される。図１（ｂ）に示すように、鑑賞者Ｍの左眼に対峙する左眼用の液晶シャッター４４Ｌと、鑑賞者Ｍの右眼に対峙する右眼用の液晶シャッター４４Ｒとを備えており、各液晶シャッター４４Ｌ，４４Ｒは、光を透過させる透過状態と光の透過を遮断する遮断状態とを切り替え可能になっている。また、液晶シャッターメガネ４の前面には、プロジェクター２から送信される赤外線の同期信号を受信するための受信部４１が設けられており、プロジェクター２から送信された同期信号は、スクリーン３に反射して受信部４１に受信される。液晶シャッターメガネ４は、左眼用の画像が鑑賞者の左眼のみで認識され、右眼用の画像が鑑賞者の右眼のみで認識されるよう、受信した同期信号に同期して左右の液晶シャッター４４Ｌ，４４Ｒを交互に透過状態にさせる。なお、本明細書では、液晶シャッター４４Ｌ，４４Ｒを透過状態にすることを「開放」とも表記し、液晶シャッター４４Ｌ，４４Ｒを遮断状態にすることを「閉塞」とも表記し、透過状態と遮断状態とを切り替えることを「開閉」とも表記する。
【００３０】
液晶シャッターメガネ４の各々は、第１の同期信号及び第２の同期信号のいずれか一方に対応し、それぞれ対応する同期信号に基づいて動作する。具体的には、第１の液晶シャッターメガネ４ａは、第１のプロジェクター２ａから送信される第１の同期信号に対応する。そして、第１の同期信号に基づいて左右の液晶シャッター４４Ｌ，４４Ｒを開閉させることにより、第１の左眼用画像を鑑賞者Ｍの左眼に認識させ、第１の右目用画像を鑑賞者Ｍの右眼に認識させる。また、第２の液晶シャッターメガネ４ｂは、第２のプロジェクター２ｂから送信される第２の同期信号に対応する。そして、第２の同期信号に基づいて左右の液晶シャッター４４Ｌ，４４Ｒを開閉させることにより、第２の左眼用画像を鑑賞者Ｍの左眼に認識させ、第２の右目用画像を鑑賞者Ｍの右眼に認識させる。
【００３１】
図３は、液晶シャッターメガネ４の内部構成を示すブロック図である。
図３に示すように、液晶シャッターメガネ４は、受信部４１と、制御部４２と、駆動部４３と、液晶シャッター４４Ｌ，４４Ｒとを有している。受信部４１は、フォトセンサー等によって構成され、プロジェクター２から送信される赤外線の同期信号（第１の同期信号及び第２の同期信号）を受信（受光）して電気信号に変換する。
【００３２】
制御部４２は、ＣＰＵ等を備えて構成され、送信装置２７から受信した同期信号に基づき、液晶シャッター４４Ｌ，４４Ｒの開閉を制御するための制御信号を生成して駆動部４３に出力する。そして、駆動部４３は、制御部４２から入力される制御信号に基づいて液晶シャッター４４Ｌ，４４Ｒの開閉を駆動する。
【００３３】
液晶シャッター４４Ｌ，４４Ｒは、それぞれ液晶パネルの表裏両側に偏光板が貼り付けられた構成を有している。左眼用の液晶シャッター４４Ｌは、駆動部４３の駆動により、左眼に入射する光を透過させる透過状態（開放）と、左眼に入射する光を遮断する遮断状態（閉塞）とを切り替える。また、右眼用の液晶シャッター４４Ｒは、駆動部４３の駆動により、右眼に入射する光を透過させる透過状態（開放）と、右眼に入射する光を遮断する遮断状態（閉塞）とを切り替える。
【００３４】
液晶シャッターメガネ４は、上記のように構成されており、送信装置２７からの同期信号を受信すると、制御部４２は、受信した同期信号が第１の同期信号であるか第２の同期信号であるかを識別する。そして、自らが対応する同期信号である場合には、受信した同期信号に基づいて制御信号を生成し、駆動部４３に出力する。一方、受信部４１が受信した同期信号が、対応する同期信号でない場合には、制御部４２は、制御信号の生成及び出力を行わない。
【００３５】
図４（ａ）〜（ｊ）は、画像表示システム１００の動作を説明するためのタイミングチャートである。本図において、（ａ）、（ｆ）は、それぞれ第１及び第２のプロジェクター２ａ，２ｂの画像処理部２１から画像表示部２２に入力される画像情報（フレーム）を表しており、Ｌ１，Ｌ２，…は、左眼用画像に対応するフレーム、Ｒ１，Ｒ２，…は、右眼用画像に対応するフレームであることを示している。（ｂ）、（ｇ）は、それぞれ第１及び第２のプロジェクター２ａ，２ｂの画像表示部２２が表示する画像を表しており、Ｌ１，Ｌ２，…が左眼用画像を、Ｒ１，Ｒ２，…が右眼用画像を示している。また、（ｃ）、（ｈ）は、それぞれ第１及び第２のプロジェクター２ａ，２ｂの光源装置２３の点灯状態を表しており、Ｈレベルが点灯を、Ｌレベルが消灯を示している。そして、（ｄ）、（ｅ）及び（ｉ）、（ｊ）は、それぞれ第１及び第２の液晶シャッターメガネ４ａ，４ｂの左眼用及び右眼用の液晶シャッター４４Ｌ，４４Ｒの開閉状態を表しており、Ｈレベルが開放を、Ｌレベルが閉塞を示している。
【００３６】
図４（ａ）、（ｆ）に示すように、プロジェクター２の画像表示部２２には、左眼用画像に対応する画像情報が２フレーム連続で入力された後、右眼用画像に対応する画像情報が２フレーム連続で入力され、これ以降も、２フレーム毎に左眼用画像と右眼用画像とが切り替わる。ここで、第２のプロジェクター２ｂは、第１のプロジェクター２ａから入力される基準同期信号に基づいて、画像処理部２１からの画像情報の出力を制御しており、対応する画像情報が、第１のプロジェクター２ａよりも１フレームだけ遅れて画像表示部２２に入力されるようになっている。
【００３７】
図４（ｂ）、（ｇ）に示すように、プロジェクター２の画像表示部２２は、画像処理部２１から入力される画像情報に基づく画像を表示する。ここで、左眼用の画像情報と右眼用の画像情報とが切り替わった直後のフレーム、即ち同一の画像情報が入力される２フレームのうちの最初のフレームでは、前のフレームで表示された画像から新たな画像に徐々に切り替わっていくため、左眼用画像と右眼用画像が混在した状態となる。一方、同一の画像情報が入力される２フレームのうちの最後のフレームでは、同一の画像がすでに表示されている状態であるため、その期間中、他方の画像が混在することはない。
【００３８】
図４（ｃ）、（ｈ）に示すように、プロジェクター２の制御部２０は、光源装置２３の点灯と消灯とを１フレーム毎に切り替える。具体的には、制御部２０は、同一の画像情報が入力される２フレームのうちの最初のフレーム期間については、光源装置２３を消灯させ、２フレームのうちの最後のフレーム期間については、光源装置２３を点灯させる。これにより、左眼用画像と右眼用画像とが混在した画像がプロジェクター２から投写されることはなくなり、いずれか一方の画像のみがスクリーン３に投写される。なお、第１のプロジェクター２ａが光源装置２３を消灯させる期間が第１の停止期間であり、第２のプロジェクター２ｂが光源装置２３を消灯させる期間が第２の停止期間である。そして、第１のプロジェクター２ａと第２のプロジェクター２ｂとでは、入力される画像情報が１フレームずれているため、第１の停止期間と第２の停止期間とが重なることはなく、第１のプロジェクター２ａは、第２のプロジェクター２ｂが第２の停止期間のときに画像を投写し、第２のプロジェクター２ｂは、第１のプロジェクター２ａが第１の停止期間のときに画像を投写する。
【００３９】
そして、図４（ｄ）、（ｅ）に示すように、第１の液晶シャッターメガネ４ａは、第１のプロジェクター２ａが第１の左眼用画像を投写している期間、即ち画像表示部２２が第１の左眼用画像を表示し、且つ光源装置２３が点灯している期間については、左眼用の液晶シャッター４４Ｌを開放して、右眼用の液晶シャッター４４Ｒを閉塞する。また、第１のプロジェクター２ａが第１の右眼用画像を投写している期間、即ち画像表示部２２が第１の右眼用画像を表示し、且つ光源装置２３が点灯している期間については、右眼用の液晶シャッター４４Ｒを開放して、左眼用の液晶シャッター４４Ｌを閉塞する。そして、第１のプロジェクター２ａの光源装置２３が消灯している期間、即ち第１の停止期間では、双方の液晶シャッター４４Ｌ，４４Ｒを閉塞する。
【００４０】
同様に、図４（ｉ）、（ｊ）に示すように、第２の液晶シャッターメガネ４ｂは、第２のプロジェクター２ｂが第２の左眼用画像を投写している期間、即ち画像表示部２２が第２の左眼用画像を表示し、且つ光源装置２３が点灯している期間については、左眼用の液晶シャッター４４Ｌを開放して、右眼用の液晶シャッター４４Ｒを閉塞する。また、第２のプロジェクター２ｂが第２の右眼用画像を投写している期間、即ち画像表示部２２が第２の右眼用画像を表示し、且つ光源装置２３が点灯している期間については、右眼用の液晶シャッター４４Ｒを開放して、左眼用の液晶シャッター４４Ｌを閉塞する。そして、第２のプロジェクター２ｂの光源装置２３が消灯している期間、即ち第２の停止期間では、双方の液晶シャッター４４Ｌ，４４Ｒを閉塞する。
【００４１】
本実施形態の画像表示システム１００は、上記のように動作するため、共通のスクリーン３を見ている複数の鑑賞者Ｍのうち、第１の液晶シャッターメガネ４ａを装着している鑑賞者Ｍは、第１のプロジェクター２ａが投写する第１の左眼用画像及び第１の右目用画像を交互に視認するが、第２のプロジェクター２ｂが投写する第２の左眼用画像及び第２の右目用画像を視認することはない。同様に、第２の液晶シャッターメガネ４ｂを装着している鑑賞者Ｍは、第２のプロジェクター２ｂが投写する第２の左眼用画像及び第２の右目用画像を交互に視認するが、第１のプロジェクター２ａが投写する第１の左眼用画像及び第１の右目用画像を視認することはない。また、上述したように、第１のプロジェクター２ａに入力される第１の画像情報は、スクリーン３の正面中央よりも左側から鑑賞することを想定して作成されており、第２のプロジェクター２ｂに入力される第２の画像情報は、スクリーン３の正面中央よりも右側から鑑賞することを想定して作成されている。このため、スクリーン３の正面中央よりも左側から鑑賞する鑑賞者Ｍａは、第１の液晶シャッターメガネ４ａを装着し、スクリーン３の正面中央よりも右側から鑑賞する鑑賞者Ｍｂは、第２の液晶シャッターメガネ４ｂを装着すれば、いずれの鑑賞者Ｍも違和感のない立体像を鑑賞することができる。
【００４２】
（変形例）
また、上記実施形態は、以下のように変更してもよい。
【００４３】
上記実施形態では、画像供給装置１からプロジェクター２にサイドバイサイド方式の画像情報が入力されているが、入力される画像情報は、サイドバイサイド方式に限定されず、例えば、トップアンドボトム方式であってもよい。また、左眼用の画像情報と右眼用の画像情報とをフレーム単位で交互に出力する態様であってもよい。
【００４４】
上記実施形態では、鑑賞する位置によって２種の液晶シャッターメガネ４（第１の液晶シャッターメガネ４ａと第２の液晶シャッターメガネ４ｂ）を使い分けているが、液晶シャッターメガネ４にスイッチ等の操作部を設けて、第１の同期信号に基づいて動作する第１の動作モードと、第２の同期信号に基づいて動作する第２の動作モードとを操作部の操作に応じて切り替えできるようにすれば、液晶シャッターメガネ４は１種だけで済む。
【００４５】
上記実施形態では、２つのプロジェクター２を利用して、２つのアングルの画像を選択可能な構成を示したが、３つ以上のプロジェクターを用い、３つ以上のアングルの画像を選択可能にしてもよい。例えば、３つのアングルの画像を選択可能にする場合には、３つのプロジェクター２（第１〜第３のプロジェクター２ａ〜２ｃ）と３種の液晶シャッターメガネ４（第１〜第３の液晶シャッターメガネ４ａ〜４ｃ）を用いて実現することができる（図５参照）。
図５（ａ）、（ｆ）、（ｋ）に示すように、第１〜第３のプロジェクター２ａ〜２ｃの画像処理部２１は、左右に分離した１フレーム分の画像情報の一方を３フレーム連続して出力した後に、他方を３フレーム連続して出力する。そして、後続して入力されるフレームについても、３フレーム毎に左右を交代させながら、例えば３６０Ｈｚのフレーム周波数で画像表示部２２に順次出力する。ここで、第２及び第３のプロジェクター２ｂ，２ｃは、第１のプロジェクター２ａから入力される基準同期信号に基づいて、画像処理部２１からの画像情報の出力を制御しており、対応する画像情報が、第１のプロジェクター２ａよりもそれぞれ１フレーム及び２フレーム遅れて画像表示部２２に入力されるようになっている。そして、図５（ｂ）、（ｇ）、（ｌ）に示すように、画像表示部２２は、画像処理部２１から入力される画像情報に基づく画像を表示する。
図５（ｃ）、（ｈ）、（ｍ）に示すように、プロジェクター２の制御部２０は、同一の画像情報が入力される３フレームのうちの最初の２フレームの期間については、光源装置２３を消灯させて画像の投写を停止し、最後のフレーム期間については、光源装置２３を点灯させて画像を投写させる。
そして、図５（ｄ）、（ｅ）、（ｉ）、（ｊ）、（ｎ）、（ｏ）に示すように、第１〜第３の液晶シャッターメガネ４ａ〜４ｃは、対応するプロジェクター２が左眼用画像を投写している期間については、左眼用の液晶シャッター４４Ｌを開放して、右眼用の液晶シャッター４４Ｒを閉塞し、対応するプロジェクター２が右眼用画像を投写している期間については、右眼用の液晶シャッター４４Ｒを開放して、左眼用の液晶シャッター４４Ｌを閉塞する。そして、対応するプロジェクター２の光源装置２３が消灯している期間では、双方の液晶シャッター４４Ｌ，４４Ｒを閉塞する。これにより、鑑賞者Ｍは、装着している液晶シャッターメガネ４に対応するプロジェクター２が投写する画像を鑑賞することが可能になる。そして、例えば、スクリーン３の正面中央と、その右側及び左側の３つの鑑賞位置について、それぞれの位置に適した立体像を視認することが可能となる。
【００４６】
上記実施形態では、送信装置２７がプロジェクター２と一体に構成されているが、送信装置２７をプロジェクター２から分離させた構成としてもよい。
【００４７】
上記実施形態では、液晶パネルを駆動して開閉を行う液晶シャッターメガネ４を用いているが、液晶以外の方式で開閉を行うシャッターメガネを用いるようにしてもよい。
【００４８】
上記実施形態では、第１のプロジェクター２ａが、２つのプロジェクター２の間で画像の切り替えを同期させるための基準同期信号を第２のプロジェクター２ｂに出力しているが、この態様に限定されない。例えば、画像供給装置１が、第１のプロジェクター２ａ及び第２のプロジェクター２ｂの双方に基準同期信号を出力し、第１のプロジェクター２ａ及び第２のプロジェクター２ｂの双方が、この基準同期信号に基づいて画像を切り替えるようにしてもよい。
【００４９】
上記実施形態において、コンテンツの音声についての記載は省略しているが、第１のプロジェクター２ａ及び第２のプロジェクター２ｂは、共通のコンテンツの画像を投写することから、すべての鑑賞者Ｍに共通の音声を聞かせるようにすればよい。このとき、第１のプロジェクター２ａと第２のプロジェクター２ｂとでは、投写する画像が１フレーム分しかずれていないため、画像と音声のずれをほとんど感じさせずに済む。
【００５０】
上記実施形態では、光源装置２３を消灯させることによって画像の投写を停止させているが、画像の投写を停止させる手段は、光源装置２３を消灯させることに限定されない。例えば、光源装置２３を常時点灯させるとともに、光源装置２３から射出された光を周期的に遮る遮光装置を備えるようにしてもよい。このような遮光装置としては、扉状に開閉するルーバーによって遮光する手段や、光透過領域と遮光領域とを有する円盤を回転させる手段等を採用することができる。これらの場合には、光源装置２３は、瞬時点灯や瞬時消灯が可能な固体光源に限定されず、放電型の光源ランプ等を利用することも可能になる。
【００５１】
上記実施形態では、送信装置２７が、液晶シャッターメガネに赤外線の同期信号を送信する態様を示したが、この態様に限定されない。例えば、赤外線以外の光通信を利用するようにしてもよいし、電波を利用するようにしてもよい。
【００５２】
上記実施形態のプロジェクター２では、光変調装置として、透過型の液晶ライトバルブ２４を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００５３】
１…画像供給装置、２…プロジェクター、２ａ…第１のプロジェクター、２ｂ…第２のプロジェクター、２ｃ…第３のプロジェクター、３…スクリーン、４…液晶シャッターメガネ、４ａ…第１の液晶シャッターメガネ、４ｂ…第２の液晶シャッターメガネ、４ｃ…第３の液晶シャッターメガネ、２０…制御部、２０ａ…第１の制御部、２０ｂ…第２の制御部、２１…画像処理部、２２…画像表示部、２３…光源装置、２４…液晶ライトバルブ、２５…液晶駆動部、２６…投写レンズ、２７…送信装置、２７ａ…第１の送信装置、２７ｂ…第２の送信装置、４１…受信部、４２…制御部、４３…駆動部、４４Ｌ…左眼用液晶シャッター、４４Ｒ…右眼用液晶シャッター、１００…画像表示システム、Ｍ，Ｍａ，Ｍｂ…鑑賞者。
【図１】
2012253594.tif 000003
【図２】
2012253594.tif 000004
【図３】
2012253594.tif 000005
【図４】
2012253594.tif 000006
【図５】
2012253594.tif 000007